(57)【要約】      （修正有）【課題】状態変更が可能な権利オブジェクトを格納できない再生機器を使用する場合、修正された権利オブジェクトを権利オブジェクト発行機関に送り返して格納する著作権管理方法及びシステムを提供する。【解決手段】デジタル著作権管理方法は、（ａ）再生機器が権利オブジェクトの修正と、（ｂ）前記修正された権利オブジェクトを権利オブジェクト発行機関に伝送と、（ｃ）前記発行機関が権利オブジェクトを格納するステップとを含む。または、前記（ｂ）は、（ｂ１）前記修正された権利オブジェクトが格納される発行機関内位置をＵＲＬで設定と、（ｂ２）前記ＵＲＬを介し、前記ＤＲＭ再生機器が前記権利オブジェクトを発行機関に伝送するステップとを含む。さらに、前記（ｂ）は、（ｂ１）前記修正された権利オブジェクトを新たに定義されたＲＯＡＰ拡張プロトコル形式に合わせた構成と、（ｂ２）前記権利オブジェクトを発行機関に伝送するステップとを含む。【選択図】図３
2007133877.tif 000002
【特許請求の範囲】
【請求項１】
（ａ）ＤＲＭ再生機器が権利オブジェクトの内容を修正するステップと、
（ｂ）前記修正された権利オブジェクトを権利オブジェクト発行機関に伝送するステップと、
（ｃ）前記権利オブジェクト発行機関が前記伝送された権利オブジェクトを受信して格納するステップと、を含むことを特徴とするデジタル著作権管理方法。
【請求項２】
前記（ｂ）ステップは、
（ｂ１）前記修正された権利オブジェクトが格納される前記権利オブジェクト発行機関内の位置をＵＲＬで設定するステップと、
（ｂ２）前記設定されたＵＲＬを介して、前記ＤＲＭ再生機器が前記権利オブジェクトを前記権利オブジェクト発行機関に伝送するステップと、を含むことを特徴とする請求項１に記載のデジタル著作権管理方法。
【請求項３】
前記（ｂ１）ステップは、
前記修正された権利オブジェクトに対するＸＭＬスキーマに前記ＵＲＬに対するエレメント値を追加することによって前記位置を設定するステップを含むことを特徴とする請求項２に記載のデジタル著作権管理方法。
【請求項４】
前記（ｂ２）ステップは、
前記ＤＲＭ再生機器内の権利オブジェクト伝送部がＨＴＴＰ  ＰＯＳＴを用いて前記権利オブジェクトを前記権利オブジェクト発行機関内の権利オブジェクトサーバに伝送するステップを含むことを特徴とする請求項２に記載のデジタル著作権管理方法。
【請求項５】
前記（ｃ）ステップは、
前記伝送された権利オブジェクトを受信した前記権利オブジェクトサーバが前記権利オブジェクト発行機関内にある権利オブジェクトマネージャに前記権利オブジェクトを伝送するステップと、
前記権利オブジェクトマネージャは、前記権利オブジェクトを受信して前記ＵＲＬによって指定された権利オブジェクトデータベースに格納するステップと、を含むことを特徴とする請求項４に記載のデジタル著作権管理方法。
【請求項６】
前記ＤＲＭ再生機器内のＤＲＭエージェントが前記権利オブジェクト発行機関内のＲＯＡＰ（Ｒｉｇｈｔ  Ｏｂｊｅｃｔ  Ａｃｑｕｉｓｉｔｉｏｎ  Ｐｒｏｔｏｃｏｌ）サーバに前記権利オブジェクトデータベースに格納されている権利オブジェクトを要請する時には、前記ＲＯＡＰサーバが前記権利オブジェクトを抽出して前記ＤＲＭエージェントに伝送するステップをさらに含むことを特徴とする請求項５に記載のデジタル著作権管理方法。
【請求項７】
前記（ｂ）ステップは、
（ｂ１）前記修正された権利オブジェクトを新たに定義されたＲＯＡＰ拡張プロトコルの形式に合わせて構成するステップと、
（ｂ２）前記プロトコルの形式に合わせて構成された前記権利オブジェクトを前記権利オブジェクト発行機関に伝送するステップと、を含むことを特徴とする請求項１に記載のデジタル著作権管理方法。
【請求項８】
前記（ｃ）ステップは、
前記権利オブジェクト発行機関内のＲＯＡＰサーバが前記伝送された権利オブジェクトを受信して権利オブジェクトマネージャに伝送するステップと、
前記権利オブジェクトマネージャは、前記権利オブジェクトを受信して前記プロトコルの形式に合わせて指定された権利オブジェクトデータベースに格納するステップと、を含むことを特徴とする請求項７に記載のデジタル著作権管理方法。
【請求項９】
前記ＤＲＭ再生機器内のＤＲＭエージェントが前記ＲＯＡＰサーバに前記権利オブジェクトデータベースに格納されている権利オブジェクトを要請する時には、前記ＲＯＡＰサーバが前記権利オブジェクトを抽出して前記ＤＲＭエージェントに伝送するステップをさらに含むことを特徴とする請求項８に記載のデジタル著作権管理方法。
【請求項１０】
請求項１ないし請求項９のいずれか一項の方法をコンピュータで実行するためのプログラムコードを記録したコンピュータで読取り可能な記録媒体。
【請求項１１】
ＤＲＭコンテンツを再生するＤＲＭ再生機器および権利オブジェクトを発行する権利オブジェクト発行機関を含むＤＲＭシステムにおいて、
前記ＤＲＭ再生機器は、内容が修正された前記権利オブジェクトを前記権利オブジェクト発行機関に伝送し、
前記権利オブジェクト発行機関は、前記伝送された権利オブジェクトを受信して内部に格納することを特徴とするデジタル著作権管理システム。
【請求項１２】
前記ＤＲＭ再生機器は、
前記修正された権利オブジェクトが格納される前記権利オブジェクト発行機関内の位置情報を取得するＤＲＭエージェントと、
前記取得した位置情報に従って前記権利オブジェクトを前記権利オブジェクト発行機関に伝送する権利オブジェクト伝送部と、を含むことを特徴とする請求項１１に記載のデジタル著作権管理システム。
【請求項１３】
前記位置情報は、前記修正された権利オブジェクトに対するＸＭＬスキーマにＵＲＬに対するエレメント値が追加されることによって表示されることを特徴とする請求項１２に記載のデジタル著作権管理システム。
【請求項１４】
前記権利オブジェクト発行機関は、
前記権利オブジェクト伝送部によって伝送された権利オブジェクトを受信する権利オブジェクトサーバと、
前記権利オブジェクトサーバから前記権利オブジェクトを受信する権利オブジェクトマネージャと、
前記権利オブジェクトマネージャから前記権利オブジェクトを受信して、前記位置情報に従って前記権利オブジェクトを格納する権利オブジェクトデータベースと、を含むことを特徴とする請求項１２に記載のデジタル著作権管理システム。
【請求項１５】
前記権利オブジェクト伝送部は、ＨＴＴＰ  ＰＯＳＴを用いて前記権利オブジェクトを前記権利オブジェクトサーバに伝送することを特徴とする請求項１４に記載のデジタル著作権管理システム。
【請求項１６】
前記権利オブジェクト発行機関は、前記ＤＲＭエージェントが前記権利オブジェクトデータベースに格納されている権利オブジェクトを要請する時に、前記権利オブジェクトを抽出して前記ＤＲＭエージェントに伝送するＲＯＡＰサーバをさらに含むことを特徴とする請求項１４に記載のデジタル著作権管理システム。
【請求項１７】
前記ＤＲＭ再生機器は、新たに定義されたＲＯＡＰ拡張プロトコルの形式に合わせて構成された前記権利オブジェクトを前記権利オブジェクト発行機関に伝送するＤＲＭエージェントを含むことを特徴とする請求項１１に記載のデジタル著作権管理システム。
【請求項１８】
前記権利オブジェクト発行機関は、
前記ＤＲＭエージェントによって伝送された権利オブジェクトを受信するＲＯＡＰサーバと、
前記ＲＯＡＰサーバから前記権利オブジェクトを受信する権利オブジェクトマネージャと、
前記権利オブジェクトマネージャから前記権利オブジェクトを受信し、前記ＲＯＡＰ拡張プロトコルの形式に合わせて前記権利オブジェクトを格納する権利オブジェクトデータベースと、を含むことを特徴とする請求項１７に記載のデジタル著作権管理システム。
【請求項１９】
前記ＲＯＡＰサーバは、前記ＤＲＭエージェントから前記権利オブジェクトデータベースに格納されている権利オブジェクトが要請された時、前記権利オブジェクトを抽出して前記ＤＲＭエージェントに伝送することを特徴とする請求項１８に記載のデジタル著作権管理システム。
【発明の詳細な説明】
【技術分野】
【０００１】
本発明は、デジタル著作権管理システムにおける権利オブジェクトの格納方式に関し、より詳しくは、修正された権利オブジェクトに関する情報を権利オブジェクト発行機関に伝送して格納することができるデジタル著作権管理方法およびシステムに関する。
【背景技術】
【０００２】
最近、デジタル著作権管理（Ｄｉｇｉｔａｌ  Ｒｉｇｈｔｓ  Ｍａｎａｇｅｍｅｎｔ；以下、「ＤＲＭ」と称する）に関する研究が盛んになっており、ＤＲＭを適用した商用サービスが導入されたり導入されつつある。アナログデータとは異なってデジタルデータは、損失がなく複製が可能で、再使用および加工が容易で、且つ他者に容易に配布できるという特性を有する。また、デジタルデータを複製と配布するには非常に安い費用で済む。これに比べてデジタルデータで構成されるデジタルコンテンツを製作するためには、高いコスト、努力、および時間が必要となるため、各種デジタル著作権の保護のための技術が要求されており、そのためのＤＲＭの適用範囲が益々広がっている。
【０００３】
デジタルコンテンツを保護しようとする努力は昔からあったものの、これは主にデジタルコンテンツに対する無断接近防止にその重点があった。例えば、デジタルコンテンツに対するアクセスは対価を支払ったユーザにのみ許容し、支払っていないユーザに対してはそのデジタルコンテンツにアクセスすることができないようにした。ところが、支払いしてデジタルコンテンツにアクセスしたユーザが故意に他者にコンテンツを配布する場合、他者はデジタルコンテンツを無料で使用できるなど数多くの問題が生じたのである。これに比べてＤＲＭでは、デジタルコンテンツに対するアクセスは誰にでも無制限に許容しているが、デジタルコンテンツを暗号化してこれを実行しようとするなら権利オブジェクトという特定のライセンスが必要となるようにしている。したがって、ＤＲＭを適用すればデジタルコンテンツをより効果的に保護することができる。
【０００４】
図１は、一般的なＤＲＭの概念を示す図である。ＤＲＭの主な内容は、暗号化またはスクランブルのような方式で保護されたコンテンツ（以下では暗号化されたコンテンツという）と、暗号化されたコンテンツにアクセスすることができるライセンスの取り扱いに関するものである。暗号化されたコンテンツとはＤＲＭで保護されるコンテンツのことを意味するが、これを再生するためにはコンテンツに対する権利オブジェクトが必要となる。図１には、暗号化されたコンテンツにアクセスしようとするデバイス１１，１５と、コンテンツを供給するコンテンツ供給者１２と、コンテンツを実行できるライセンスを含んでいる権利オブジェクト（Ｒｉｇｈｔｓ  Ｏｂｊｅｃｔ；ＲＯ）を発行する権利オブジェクト発行機関（Ｒｉｇｈｔｓ  Ｉｓｓｕｅｒ；ＲＩ）１３、および認証書を発行する認証機関１４が示されている。
【０００５】
デバイスＡ１１は、所望するコンテンツをコンテンツ供給者１２から得ることができるが、このコンテンツは暗号化されたコンテンツである。デバイスＡ１１は、暗号化されたコンテンツを使用できるライセンスが含まれた権利オブジェクトを権利オブジェクト発行機関１３から購入でき、権利オブジェクトを購入したデバイスＡ１１は、暗号化されたコンテンツを使用することができる。暗号化されたコンテンツは自由に流通及び配布できるため、デバイスＡ１１は、デバイスＢ１５に暗号化されたコンテンツを自由に伝送することができる。伝送された、暗号化されたコンテンツを再生するためにはデバイスＢ１５もまた権利オブジェクトが必要となり、このような権利オブジェクトは権利オブジェクト発行機関１３から得ることができる。一方、認証機関１４は、公開鍵が確認されたデバイスの識別子、認証書の一連番号、認証書を発行する認証機関の名称、該当デバイスの公開鍵、および認証書の満了時期を示すメッセージが署名された認証書を発行する。各デバイスは、認証機関１４で発行された認証書によって自分自身と通信するデバイスが正当なデバイスなのか否かが確認できる。認証書はユーザのデバイス１１，１５を作る時からデバイス内に入ることができるが、認証書の有効期間が満了した時に認証機関１４から認証書を再発行してもらうこともできる。各認証書はその承認がなされたか否かを確認するために認証機関１４の秘密鍵によって署名されるため、デバイスは、認証機関１４の公開鍵を用いて自分自身と通信する他のデバイスの認証書を確認することができる。
【０００６】
一方、デジタル媒体に対する著作権問題を解決するための様々なＤＲＭシステムが提案されているが、その中、唯一の公開ＤＲＭシステムといえるオープンモバイルアライアンス（Ｏｐｅｎ  Ｍｏｂｉｌｅ  Ａｌｌｉａｎｃｅ；以下、ＯＭＡという）のＤＲＭシステムに関しては、図２Ａ、図２Ｂおよび図２Ｃを参照して説明する。
【０００７】
図２Ａは従来技術に係るＯＭＡ  ＤＲＭシステムの構成を示す図であり、図２ＢはＯＭＡ  ＤＲＭシステムの動作過程を示す図であり、図２ＣはＯＭＡ  ＤＲＭシステムにおける権利オブジェクトのＸＭＬスキーマを示す図である。
【０００８】
図２ＡのＯＭＡ  ＤＲＭシステムを見ると、再生機器３０、権利発行機関２０、およびコンテンツ供給機関４０など３つの構成要素が互いに相互動作して構成される。再生機器３０は、ＤＲＭ関連動作を処理するＤＲＭエージェント３２、ＤＲＭコンテンツを格納する格納部３４、ＤＲＭコンテンツを再生する再生部３６を含む。ＤＲＭエージェント３２は、ＯＭＡ  ＤＲＭでその機能を定義しており、格納部３４と再生部３６は、ＯＭＡ  ＤＲＭが取り扱う技術範囲から除外される。コンテンツ供給機関４０では、ＤＲＭコンテンツを暗号化した形で提供し、権利発行機関２０では、コンテンツ供給機関４０と連係してＤＲＭコンテンツを再生するための権利オブジェクトを提供する。
【０００９】
図２Ｂでは、暗号化されたＤＲＭコンテンツを取得して再生する全体動作を説明する。ＤＲＭエージェント３２を含む再生機器３０は、ＯＭＡ  ＤＲＭシステムを使用するために自己を権利発行機関２０に登録し（Ｓ２１）、それに対する登録可否の回答を受信する（Ｓ２２）。登録された再生機器３０は、ＤＲＭエージェント３２を介して、コンテンツ供給機関４０が保有しているＤＲＭコンテンツを検索要請して（Ｓ２３）、ダウンロードする（Ｓ２４）。ＤＲＭエージェント３２を介して取得したＤＲＭコンテンツは再生機器３０の格納部３４に格納され（Ｓ２６）、前記格納されたコンテンツを再生するためにＤＲＭエージェント３２は、権利発行機関２０から再生に必要な権利オブジェクトを要請して（Ｓ２７）、受信する（Ｓ２８）。この時、ＤＲＭコンテンツの使用にともなう費用の支払いは権利オブジェクトを取得する時点で発生できる。このように、ＤＲＭコンテンツと権利オブジェクトを所得した状況でＤＲＭエージェント３２は、暗号化されたＤＲＭコンテンツを復号するために権利オブジェクトから暗号鍵を抽出して復号し（Ｓ２９）、復号されたコンテンツを再生部３６に伝送して（Ｓ３０）、最終的に再生する（Ｓ３１）。また、権利オブジェクトにはＤＲＭコンテンツに対する使用制約を記述することができるため、ＤＲＭエージェント３２は権利オブジェクトに記述された内容通りに使用権限を監視する機能を行わなければならない。
【００１０】
一方、ＯＭＡ  ＤＲＭにおける権利オブジェクトは、ＤＲＭコンテンツに対する使用権限を記述したＸＭＬ形態の文書になっており、ドメイン権利オブジェクトとコンテンツ権利オブジェクトとに区分することができ、これは図２Ｃに示されている。図２Ｃに示すＸＭＬスキーマは、権利オブジェクトの内容を表すためにＯＭＡ  ＤＲＭシステムで既に定義されているのでここでは詳細説明を省略する。
【００１１】
権利オブジェクトはＤＲＭコンテンツの使用（例えば、再生、印刷など）における回数制限のように変更可能な状態情報を記録しているため、ＤＲＭエージェント３２は該当使用権限の範囲内でＤＲＭコンテンツを繰り返して使用するためには権利オブジェクトを内部的に格納すべきであるが、これは再生機器３０が非揮発性の格納装置を装着しなければならないという仮定を伴う。しかし、データストリーミングのような方式の再生機能のみをサポートする再生機器では、非揮発性格納装置がない場合がある。この場合、権利オブジェクトを権利発行機関２０から取得した後、ＤＲＭコンテンツを１回使用した後には再び使用できないという問題が生じる。かといって権利発行機関２０から該当ＤＲＭコンテンツに対する権利オブジェクトを再び取得するには、権利オブジェクトの取得にともなう費用の支払いが重複して発生し、ユーザにとって非常に不合理だという問題点がある。
【特許文献１】日本公開特許第2002-083152号公報
【発明の開示】
【発明が解決しようとする課題】
【００１２】
本発明は、上記のような問題点を解決するためになされたものであって、本発明の目的は、状態変更が可能な権利オブジェクトを格納できない再生機器を用いる場合、修正された権利オブジェクトを再生機器に格納せず権利オブジェクト発行機関に再び送り返して格納することができるデジタル著作権管理方法およびシステムを提供することである。
【００１３】
本発明の目的は、以上で言及した目的に制限されず、言及していないまた他の目的は下記記載によって当業者が明確に理解できるものである。
【課題を解決するための手段】
【００１４】
上述した目的を達成するために、本発明の一様態に係るデジタル著作権管理方法は、（ａ）ＤＲＭ再生機器が権利オブジェクトの内容を修正するステップと、（ｂ）前記修正された権利オブジェクトを権利オブジェクト発行機関に伝送するステップと、（ｃ）前記権利オブジェクト発行機関が前記伝送された権利オブジェクトを受信して格納するステップとを含むことを特徴とする。
【００１５】
前記（ｂ）ステップは、（ｂ１）前記修正された権利オブジェクトが格納される前記権利オブジェクト発行機関内の位置をＵＲＬで設定するステップと、（ｂ２）前記設定されたＵＲＬを介して、前記ＤＲＭ再生機器が前記権利オブジェクトを前記権利オブジェクト発行機関に伝送するステップとを含むことが好ましい。
【００１６】
前記（ｂ）ステップは、（ｂ１）前記修正された権利オブジェクトを新たに定義されたＲＯＡＰ拡張プロトコルの形式に合わせて構成するステップと、（ｂ２）前記プロトコルの形式に合わせて構成された前記権利オブジェクトを前記権利オブジェクト発行機関に伝送するステップとを含むことがより好ましい。
【００１７】
また、本発明の他の態様に係るデジタル著作権管理システムは、ＤＲＭコンテンツを再生するＤＲＭ再生機器および権利オブジェクトを発行する権利オブジェクト発行機関を含むＤＲＭシステムにおいて、前記ＤＲＭ再生機器は内容が修正された前記権利オブジェクトを前記権利オブジェクト発行機関に伝送し、前記権利オブジェクト発行機関は前記伝送された権利オブジェクトを受信して内部に格納することを特徴とする。
【００１８】
前記ＤＲＭ再生機器は、前記修正された権利オブジェクトが格納される前記権利オブジェクト発行機関内の位置情報を取得するＤＲＭエージェントと、前記取得した位置情報に従って前記権利オブジェクトを前記権利オブジェクト発行機関に伝送する権利オブジェクト伝送部とを含むことが好ましい。
【００１９】
前記ＤＲＭ再生機器は、新たに定義されたＲＯＡＰ拡張プロトコルの形式に合わせて構成された前記権利オブジェクトを前記権利オブジェクト発行機関に伝送するＤＲＭエージェントを含むことがより好ましい。
【発明の効果】
【００２０】
本発明の実施形態に係るデジタル著作権管理方法およびシステムでは、ＯＭＡ  ＤＲＭシステムで仮定している権利オブジェクトの格納位置を再生機器に限定せず、永久的格納装置を備えない再生機器を用いる場合は、権利オブジェクトを権利オブジェクト発行機関に任せて格納および管理することができるという効果がある。
【００２１】
本発明の効果は以上で言及した効果に制限されず、言及していないまた他の効果は請求範囲の記載から当業者に明確に理解できるものである。
【発明を実施するための最良の形態】
【００２２】
その他、実施形態の具体的な事項は、詳細な説明および図面に含まれている。
【００２３】
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体にわたり、同一参照符号は同一構成要素を示す。
【００２４】
本発明の実施形態に関する説明にて本明細書で用いられる用語中「権利オブジェクト」の意味について簡単に説明する。権利オブジェクトとは、暗号化されたコンテンツを使用できる権限およびその権限に対する限定事項などを含む一種のライセンスといえる。権利オブジェクトは、コンテンツに対する権利の定義と権利の限定事項（ｃｏｎｓｔｒａｉｎｔ）を含んでおり、権利オブジェクト自体に対する権利も含んでいる。コンテンツに対する権利の例としては再生を挙げることができ、限定事項の例としては再生回数、再生時間、再生期間などが挙げられる。権利オブジェクト自体に対する権利としては移動、コピーなどが挙げられる。すなわち、移動権利を有する権利オブジェクトは、他のデバイスや保安マルチメディアカード（Ｓｅｃｕｒｅ  Ｍｕｌｔｉｍｅｄｉａ  Ｃａｒｄ）に移動することもでき、複写権利を有する権利オブジェクトは他のデバイスや保安マルチメディアカードで複製され得る。一方、上記のような用語の説明は、本明細書の理解を助けるためのものであって、明らかに本発明を限定する事項として記載しない場合には本発明の技術的思想を限定する意味として用いられるものではないものと注意しなければならない。
【００２５】
以下では、本発明の好ましい実施形態で予め定義したデジタル著作権管理方法およびシステムを説明するためのブロック図またはフローチャートを参照してより詳細に説明する。
【００２６】
状態変更が可能な権利オブジェクトが修正されたのに再生機器が前記修正された権利オブジェクトを格納できる非揮発性格納空間がない場合、前記修正された権利オブジェクトを再生機器に格納せずに権利オブジェクト発行機関に再び送り返して格納する方式の時間的手順を見てみると、先ず、ＤＲＭ再生機器によって権利オブジェクトの内容が修正された後、前記修正された権利オブジェクトに関する情報を前記ＤＲＭ再生機器が権利オブジェクト発行機関に伝送する。そして、権利オブジェクト発行機関が前記伝送された権利オブジェクトに関する情報を受信して内部に格納する。
【００２７】
本発明の実施形態では、上記のような権利オブジェクトの格納方式に対し２種類の格納方式を提案する。第一は、権利オブジェクトのＸＭＬスキーマを拡張することによってＵＲＬを用いる格納方式で、図３〜図５に示しており、第２は、ＲＯＡＰプロトコルを拡張した新たな拡張ＲＯＡＰプロトコルを用いる格納方式で、これは図６〜図８に示している。
【００２８】
先ず、第一の方式に関し、図３〜図５に基づいて詳細に説明する。図３は本発明の一実施形態に係るデジタル著作権管理方法の中、ＵＲＬを用いた格納方式におけるＤＲＭシステム構成を示す図であり、図４は図３の方式に用いられる拡張された権利オブジェクトＸＭＬスキーマを示す図であり、図５は図３の方式の全体的な流れを示すフローチャートである。
【００２９】
図３に示すように、第一の方式を用いるデジタル著作権管理システムは、内容が修正された権利オブジェクトを前記権利オブジェクト発行機関に伝送する役割をする再生機器３００、および前記伝送された権利オブジェクトを受信して内部に格納する権利オブジェクト発行機関４００を含む。再生機器３００は、再生部３１０、ＤＲＭエージェント３２０、権利オブジェクト伝送部３２５、およびコンテンツ格納部３３０を含み、権利オブジェクト発行機関４００は、ＲＯＡＰサーバ４１０、権利オブジェクトマネージャ４２０、権利オブジェクトサーバ４２５、および権利オブジェクトデータベース４３０を含む。
【００３０】
再生部３１０は、取得したＤＲＭコンテンツを再生する役割をするものであり、前記権利オブジェクトに指定された内容と制限事項に基づいて再生を行う。
【００３１】
ＤＲＭエージェント３２０は、状態変更が可能な権利オブジェクトの内容が修正された場合、前記権利オブジェクトが格納される位置経路を権利オブジェクト発行機関４００から取得する。
【００３２】
権利オブジェクト伝送部３２５は、上記のような方式で得られた位置情報に基づいて前記権利オブジェクトを権利オブジェクト発行機関４００に伝送するが、特に、ＨＴＴＰ  ＰＯＳＴを用いて後述する権利オブジェクトサーバ４２５に伝送する。ここで、前記位置情報は修正された権利オブジェクトに関する内容を含んでいるＸＭＬスキーマにＵＲＬに対するエレメント値を追加することによって表示されるが、このようなエレメント値が追加された拡張されたＸＭＬスキーマを示すのが図４で点線で示すボックスに示されている。ＵＲＬというのは、Ｕｎｉｆｏｒｍ  Ｒｅｓｏｕｒｃｅ  Ｌｏｃａｔｏｒの略字で、普通インターネットで該当文書の正確な位置を示すための方法を意味し、インターネット上で各種のソースがある位置を示す標準指令体系のことであるが、図４では、前記ＵＲＬに対するエレメント値が“ｒｏＵｐｄａｔｉｎｇＵＲＬ”と指定されていることが分かる。
【００３３】
コンテンツ格納部３３０は、コンテンツを再生するためにコンテンツを格納しておく場所であり、コンテンツを再生する瞬間にはＤＲＭエージェント３２０によって制御され、検索されたコンテンツを再生部３１０に送る役割をする。
【００３４】
権利オブジェクト発行機関４００を構成する要素の役割を見てみると、権利オブジェクトサーバ４２５は権利オブジェクト伝送部３２５によって伝送された権利オブジェクトを受信する役割をし、権利オブジェクトマネージャ４２０は権利オブジェクトサーバ４２５から前記権利オブジェクトを受信する役割をする。権利オブジェクトデータベース４３０は、権利オブジェクトマネージャ４２０から前記権利オブジェクトを受信し、前記ＸＭＬスキーマに追加されているＵＲＬに対するエレメント値に応じて前記権利オブジェクトを格納する。そして、ＲＯＡＰサーバ４１０は、権利オブジェクトが権利オブジェクトデータベース４３０に格納された後、ＲＯＡＰプロトコルにより権利オブジェクトを要請する信号がＤＲＭエージェント３２０によって送られてくる時、前記信号を受信し、受信した信号に応じて前記権利オブジェクトを抽出してＤＲＭエージェント３２０に再び伝送する役割をする。
【００３５】
図５に基づき、第一の方式に係る格納方式の全体的流れを説明する。先ず、ＤＲＭ再生機器３００のコンテンツ再生などによって権利オブジェクトの内容に変更があった場合は権利オブジェクトの内容が修正される（Ｓ５０２）。そうすると、前記修正された権利オブジェクトが格納される権利オブジェクト発行機関４００内の格納位置をＵＲＬで設定し（Ｓ５０４）、前記設定されたＵＲＬによりＤＲＭ再生機器３００が権利オブジェクト発行機関４００へ前記権利オブジェクトを伝送するが、具体的にはＤＲＭ再生機器３００内の権利オブジェクト伝送部３２５がＨＴＴＰ  ＰＯＳＴを用いて前記権利オブジェクトを権利オブジェクト発行機関４００内の権利オブジェクトサーバ４２５に伝送する（Ｓ５０６）。Ｓ５０４段階で権利オブジェクトの格納位置をＵＲＬで設定するのは前記修正された権利オブジェクトに対するＸＭＬスキーマに前記ＵＲＬに対するエレメント値を追加する方法を用いるが、その追加された結果が図４の点線で示したボックスに示されている。前記伝送された位置情報を受信した権利オブジェクトサーバ４２５は権利オブジェクトマネージャ４２０に前記権利オブジェクトを伝送し（Ｓ５０８）、権利オブジェクトマネージャ４２０は前記権利オブジェクトを受信して、前記ＵＲＬによって指定された権利オブジェクトデータベース４３０内の所定位置に格納する（Ｓ５１０）。
【００３６】
一方、ＤＲＭ再生機器３００内のＤＲＭエージェント３２０が権利オブジェクト発行機関４００内のＲＯＡＰサーバ４１０に権利オブジェクトデータベース４３０に格納されている権利オブジェクトの引出しを要請する場合は、前記ＲＯＡＰサーバ４１０が前記権利オブジェクトを引き出してＤＲＭエージェント３２０に伝送する（Ｓ５１２）。
【００３７】
次に、第二の格納方式に関し、図６〜図８に基づいて詳細に説明する。図６は本発明の一実施形態に係るデジタル著作権管理方法の中、拡張されたＲＯＡＰを用いた格納方式におけるＤＲＭシステム構成を示す図であり、図７は本発明の一実施形態に係るデジタル著作権管理方法の中、拡張されたＲＯＡＰを用いた格納方式に用いられるプロトコルを示す図であり、図８は図６の方式の全体的流れを示すフローチャートである。
【００３８】
図６に示すように、第二の方式のデジタル著作権管理システムは、第一の方式におけるシステム構成と同様である。すなわち、内容が修正された権利オブジェクトを権利オブジェクト発行機関４００に伝送する再生機器３００、および前記伝送された権利オブジェクトを受信して内部に格納する権利オブジェクト発行機関４００を含む。
【００３９】
ＤＲＭ再生機器３００には権利オブジェクト伝送部３２５という要素がなく、再生部３１０、ＤＲＭエージェント３２０、およびコンテンツ格納部３３０を含んでおり、権利オブジェクト発行機関４００においても権利オブジェクトサーバ４２５という要素がなく、ＲＯＡＰサーバ４１０、権利オブジェクトマネージャ４２０、および権利オブジェクトデータベース４３０を含むという点で第一の方式のシステム構成とは若干異なっている。第二の方式では、ＤＲＭエージェント３２０が拡張ＲＯＡＰプロトコルに基づいた指令を処理するため権利オブジェクトを伝送する機能を有する権利オブジェクト伝送部というものを別に必要としないので、拡張ＲＯＡＰプロトコルの形式に合わせて構成された権利オブジェクトを権利オブジェクト発行機関４００に伝送する役割をＤＲＭエージェント３２０が担っている。その反面、第一の方式では、ＲＯＡＰプロトコルに基づいた格納方式ではないため、ＲＯＡＰプロトコルに基づいた指令を処理する機能をするＤＲＭエージェント３２０がＵＲＬ情報による権利オブジェクトの伝送ができないので、権利オブジェクトを伝送する権利オブジェクト伝送部３２５が別途に必要となる。
【００４０】
そして、権利オブジェクト発行機関４００のＲＯＡＰサーバ４１０はＤＲＭエージェント３２０によって伝送された権利オブジェクトを受信する役割をし、権利オブジェクトマネージャ４２０はＲＯＡＰサーバ４１０から前記権利オブジェクトを受信する役割をする。同じように、権利オブジェクトデータベース４３０は権利オブジェクトマネージャ４２０から前記権利オブジェクトを受信し、新たに定義されたＲＯＡＰ拡張プロトコルの形式に合わせて前記権利オブジェクトを格納する役割をする。一方、ＲＯＡＰサーバ４１０は、ＤＲＭエージェント３２０から権利オブジェクトデータベース４３０に格納されている権利オブジェクトの引き出しを要請された場合、前記権利オブジェクトを抽出してＤＲＭエージェント３２０に伝送する。
【００４１】
図８に基づいて第二の方式による格納方式の全体的流れを説明する。先ず、ＤＲＭ再生機器３００のコンテンツ再生などによって、権利オブジェクトの内容に変更が生じた場合は、第一方式と同様に権利オブジェクトの内容が修正される（Ｓ８０２）。ＲＯＡＰスキーマを拡張し、予め新たに定義された新しいプロトコルに基づいた「ＲＯＡＰ拡張プロトコル」の形式に合わせて前記修正された権利オブジェクトに関する情報を構成する（Ｓ８０４）。ここで、「ＲＯＡＰ拡張プロトコル」というのは、既存のＲＯＡＰスキーマを拡張して、メッセージフォーマットをＲＯＡＰスキーマに合わせて新たに定義した新しいプロトコル方式であって、図７に示しており、これは権利オブジェクトをＲＯＡＰプロトコルに基づいて伝送するためのものである。
【００４２】
図７の上段部の点線のボックス内を見てみると、権利オブジェクトの要請（ｒｏＵｐｄａｔｅＲｅｑｕｅｓｔ）に対する新たなプロトコル形式が記載されており、下段部の点線ボックス内を見てみると、前記要請に対する応答（ｒｏＵｐｄａｔｅＲｅｓｐｏｎｓｅ）に対する新たなプロトコル形式が記載されていることが分かる。このような拡張プロトコルの構造は、既存のＤＲＭシステムを構成する構成要素の修正が要らず、単にＤＲＭエージェント３２０と権利オブジェクト発行機関４００が前記プロトコルの構造をサポートするだけで良い。そして、前記拡張プロトコルの形式に合わせて構成された権利オブジェクトを権利オブジェクト発行機関４００に伝送するステップを行い（Ｓ８０６）、前記伝送された権利オブジェクトを権利オブジェクト発行機関４００内のＲＯＡＰサーバ４１０が受信して権利オブジェクトマネージャ４２０に伝送すると（Ｓ８０８）、権利オブジェクトマネージャ４２０は、前記権利オブジェクトを受信して前記拡張プロトコルの形式に合わせて権利オブジェクトデータベース４３０内の指定された位置に格納する（Ｓ８１０）。
【００４３】
一方、ＤＲＭ再生機器３００内のＤＲＭエージェント３２０がＲＯＡＰサーバ４１０に権利オブジェクトデータベース４３０に格納されている権利オブジェクトの引出しを要請する時は、ＲＯＡＰサーバ４１０が前記権利オブジェクトを引き出してＤＲＭエージェント３２０に伝送するステップをさらに行うことができる（Ｓ８１２）。
【００４４】
上記のような本発明に係る実施形態に用いられる「〜部」という用語、すなわち「〜モジュール」または「〜テーブル」などは、ソフトウェアまたはＦＰＧＡまたはＡＳＩＣのようなハードウェア構成要素を意味し、モジュールはある役割を行う。ところがモジュールは、ソフトウェアまたはハードウェアに限定される意味ではない。モジュールは、アドレッシングできる格納媒体にあるように構成することもでき、１つまたはそれ以上のプロセッサを再生させるように構成することもできる。したがって、一例としてモジュールはソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素とモジュールの中で提供されている機能は、さらに小さい数の構成要素およびモジュールに結合したり、追加的な構成要素とモジュールにさらに分離したりすることができる。それだけでなく、構成要素およびモジュールは、デバイスまたは保安マルチメディアカード内の１つまたはそれ以上のＣＰＵを再生させるように実現することもできる。
【００４５】
一方、本発明の実施形態に係るデジタル著作権管理方法の権利範囲は、上記のような方法をコンピュータで実行するためのプログラムコードを記録したコンピュータで読取り可能な記録媒体にも及ぶことは当業者であれば明白である。
【００４６】
以上、添付した図面を参照して本発明の実施形態を説明したが、本発明が属する技術分野で通常の知識を有する者であれば、本発明がその技術的思想や必須の特徴から外れない範囲内でさまざまに置換え、変形および変更が可能であるため、他の具体的な形態によって実施することができるということを理解できる。したがって、以上で記述した実施形態はすべての面で例示的なものであり、限定的なものではないことを理解しなければならない。本発明の範囲は、前記詳細な説明よりは特許請求の範囲によって明示されるものであり、特許請求の範囲の意味および範囲そしてその均等概念から導き出されるすべての変更または変形された形が本発明の範囲に含まれると解釈しなければならない。
【図面の簡単な説明】
【００４７】
【図１】一般的なデジタル著作権管理（ＤＲＭ）の概念を示す図である。
【図２Ａ】従来技術に係るＯＭＡ  ＤＲＭシステムの構成を示す図である。
【図２Ｂ】従来技術に係るＯＭＡ  ＤＲＭシステムの動作過程を示す図である。
【図２Ｃ】従来技術に係るＯＭＡ  ＤＲＭシステムにおける権利オブジェクトのＸＭＬスキーマを示す図である。
【図３】本発明の一実施形態に係るデジタル著作権管理方法の中、ＵＲＬを用いた格納方式におけるＤＲＭシステム構成を示す図である。
【図４】図３の方式に用いられる拡張された権利オブジェクトＸＭＬスキーマを示す図である。
【図５】図３の方式の全体的流れを示すフローチャートである。
【図６】本発明の一実施形態に係るデジタル著作権管理方法の中、拡張されたＲＯＡＰを用いた格納方式におけるＤＲＭシステム構成を示す図である。
【図７】本発明の一実施形態に係るデジタル著作権管理方法の中、拡張されたＲＯＡＰを用いた格納方式に用いられるプロトコルを示す図である。
【図８】図６の方式の全体的流れを示すフローチャートである。
【符号の説明】
【００４８】
２０      権利発行機関
３０      再生機器
３２      ＤＲＭエージェント
３４      格納部
３６      再生部
４０      コンテンツ供給機関
３００    再生機器
３１０    再生部
３２０    ＤＲＭエージェント
３２５    権利オブジェクト伝送部
３３０    コンテンツ格納部
４００    権利オブジェクト発行機関
４１０    ＲＯＡＰサーバ
４２０    権利オブジェクトマネージャ
４２５    権利オブジェクトサーバ
４３０    権利オブジェクトデータベース
【図１】
2007133877.tif 000003
【図２Ａ】
2007133877.tif 000004
【図２Ｂ】
2007133877.tif 000005
【図２Ｃ】
2007133877.tif 000006
【図３】
2007133877.tif 000007
【図４】
2007133877.tif 000008
【図５】
2007133877.tif 000009
【図６】
2007133877.tif 000010
【図７】
2007133877.tif 000011
【図８】
2007133877.tif 000012